(57)【要約】【課題】除鉄装置を備える水処理システムにおいて、次亜塩素酸塩の添加量を低減することで、次亜塩素酸塩から生成される塩素酸の生成量を低減でき、かつ、塩素に由来する副生成物の生成量を低減できる水処理システムを提供する。【解決手段】水処理システム１は、原水を供給する給水ライン２１〜２４と、給水ライン２１〜２４上に設置され、給水ライン２１〜２４上を供給される原水に次亜塩素酸塩を添加する薬注装置１３と、備える。また、薬注装置１３の下流側において給水ライン２１〜２４上に設置され、給水ライン２１〜２４上を供給される原水に含まれる鉄分を除去する除鉄除マンガン装置４を備える。さらに、薬注装置１３の上流側に、給水ライン２１〜２４上を供給される原水を曝気する曝気装置７をさらに備える。【選択図】図１
2019103956.tif 000002
【特許請求の範囲】
【請求項１】
原水を供給する給水ラインと、
前記給水ライン上に設置され、前記給水ライン上を供給される原水に次亜塩素酸塩を添加する薬注装置と、
前記薬注装置の下流側において前記給水ライン上に設置され、前記給水ライン上を供給される原水に含まれる鉄分を除去する除鉄装置と、を備える水処理システムであって、
前記薬注装置の上流側に、前記給水ライン上を供給される原水を曝気する曝気装置をさらに備える、水処理システム。
【請求項２】
前記除鉄装置から下流側の給水ラインに排出される処理水に含まれる残留塩素の濃度に基づいて、前記薬注装置の次亜塩素酸塩の添加量を増減させる薬注制御装置をさらに備える、請求項１に記載の水処理システム。
【請求項３】
前記曝気装置の下流側であって前記除鉄装置の上流側に、凝集剤を添加する凝集剤添加装置をさらに備える、請求項１又は２に記載の水処理システム。
【請求項４】
前記除鉄装置から下流側の給水ラインに排出される処理水に含まれる残留塩素の濃度及び／又は溶存酸素の濃度に基づいて、前記曝気装置の曝気量を増減させる曝気制御装置をさらに備える、請求項１から３までのいずれかに記載の水処理システム。
【請求項５】
前記薬注装置の上流側に、前記給水ライン上を供給される原水に含まれるアンモニア性窒素を除去するアンモニア除去手段をさらに備える、請求項１から４までのいずれかに記載の水処理システム。
【発明の詳細な説明】
【技術分野】
【０００１】
本発明は、井水などの原水から処理水を生成する水処理システムであって、除鉄装置を備える水処理システムに関する。
【背景技術】
【０００２】
従来、井水などの原水から処理水を生成する水処理システムとして、給水ライン上に、原水に含まれる鉄分を除去する除鉄装置を備えた技術が知られている（例えば、特許文献１参照）。特許文献１に記載の技術は、除鉄装置の上流側において、原水に含まれる鉄分を不溶性の鉄化合物（酸化水酸化鉄（III）など）に酸化させるために、原水に次亜塩素酸ナトリウムを添加する。そして、不溶性の鉄化合物は、除鉄装置のろ材によってろ過することで除去される。
【先行技術文献】
【特許文献】
【０００３】
【特許文献１】特開２０１１−１７３１０１号公報
【発明の概要】
【発明が解決しようとする課題】
【０００４】
ところで、原水に含まれる鉄分が多い場合には、除鉄装置の上流側において原水に次亜塩素酸ナトリウム溶液を添加すると、鉄分の酸化により塩素が消費されるため、処理水中の残留塩素が不足する。この場合に、原水に添加される次亜塩素酸ナトリウムの添加量が多くなるように制御されることがあり、次亜塩素酸ナトリウムの添加量が多くなると、次亜塩素酸ナトリウム（次亜塩素酸塩）から生成される塩素酸の量が増加する。塩素酸は有害物質であるため、塩素酸の量は低減されることが好ましい。
【０００５】
また、次亜塩素酸ナトリウムの添加量が多くなると、次亜塩素酸ナトリウムの塩素とアンモニア性窒素と有機物とが反応して副生成物としてのシアン化合物が生成されたり、次亜塩素酸ナトリウムの塩素と有機物とが反応して副生成物としてのトリハロメタンが生成されたりする。シアン化合物やトリハロメタンは有害物質であるため、塩素に由来する副生成物の量は低減されることが好ましい。
【０００６】
このように、塩素酸の量や副生成物の量は低減されることが好ましい。従って、次亜塩素酸ナトリウム（次亜塩素酸塩）の添加量を低減することで、次亜塩素酸ナトリウム（次亜塩素酸塩）から生成される塩素酸の生成量を低減でき、かつ、塩素に由来する副生成物（シアン化合物やトリハロメタンなど）の生成量を低減できることが望まれる。
【０００７】
本発明は、このような事情に鑑み、除鉄装置を備える水処理システムにおいて、次亜塩素酸塩の添加量を低減することで、次亜塩素酸塩から生成される塩素酸の生成量を低減でき、かつ、塩素に由来する副生成物の生成量を低減できる水処理システムを提供することを目的とする。
【課題を解決するための手段】
【０００８】
本発明は、原水を供給する給水ラインと、前記給水ライン上に設置され、前記給水ライン上を供給される原水に次亜塩素酸塩を添加する薬注装置と、前記薬注装置の下流側において前記給水ライン上に設置され、前記給水ライン上を供給される原水に含まれる鉄分を除去する除鉄装置と、を備える水処理システムであって、前記薬注装置の上流側に、前記給水ライン上を供給される原水を曝気する曝気装置をさらに備える水処理システムに関する。
【０００９】
前記除鉄装置から下流側の給水ラインに排出される処理水に含まれる残留塩素の濃度に基づいて、前記薬注装置の次亜塩素酸塩の添加量を増減させる薬注制御装置をさらに備えることが好ましい。
【００１０】
前記曝気装置の下流側であって前記除鉄装置の上流側に、凝集剤を添加する凝集剤添加装置をさらに備えることが好ましい。
【００１１】
前記除鉄装置から下流側の給水ラインに排出される処理水に含まれる残留塩素の濃度及び／又は溶存酸素の濃度に基づいて、前記曝気装置の曝気量を増減させる曝気制御装置をさらに備えることが好ましい。
【００１２】
前記薬注装置の上流側に、前記給水ライン上を供給される原水に含まれるアンモニア性窒素を除去するアンモニア除去手段をさらに備えることが好ましい。
【発明の効果】
【００１３】
本発明によれば、除鉄装置を備える水処理システムにおいて、次亜塩素酸塩の添加量を低減することで、次亜塩素酸塩から生成される塩素酸の生成量を低減でき、かつ、塩素に由来する副生成物の生成量を低減できる水処理システムを提供することができる。
【図面の簡単な説明】
【００１４】
【図１】本発明の第１実施形態に係る水処理システムの模式図である。
【図２】本発明の第２実施形態に係る水処理システムの模式図である。
【発明を実施するための形態】
【００１５】
［第１実施形態］
以下、本発明の第１実施形態を図面に基づいて説明する。図１は、本発明の第１実施形態に係る水処理システム１の模式図である。なお、本明細書における「ライン」とは、流路、経路、管路などの流体の流通が可能なラインの総称である。
【００１６】
本実施形態に係る水処理システム１は、井水、河川水、工業用水などの原水から処理水を生成するためのものであり、図１に示すように、原水ポンプ２と、曝気装置７と、アンモニア除去手段としてのアンモニア除去装置６と、除鉄装置としての除鉄除マンガン装置４と、凝集剤添加装置１２と、薬注装置としての酸化剤添加装置１３と、塩素センサ１４と、曝気制御装置７１と、薬注制御装置としての酸化剤添加制御装置１３１と、を主体に構成されている。
【００１７】
ここで、原水ポンプ２と曝気装置７との間には、給水ラインとしての第１給水ライン２１が配設されている。曝気装置７とアンモニア除去装置６との間には、給水ラインとしての第２給水ライン２２が配設されている。アンモニア除去装置６と除鉄除マンガン装置４との間には、給水ラインとしての第３給水ライン２３が配設されている。第３給水ライン２３には、上流側において、凝集剤添加ライン１２ａを介して、凝集剤添加装置１２が接続されており、下流側において、酸化剤添加ライン１３ａを介して酸化剤添加装置１３が接続されている。除鉄除マンガン装置４の下流側には、第４給水ライン２４が配設されている。第４給水ライン２４には、塩素センサ１４が配置されている。
【００１８】
本実施形態の水処理システム１においては、原水を供給する給水ライン２１〜２４上に、上流側から下流側に向かって、原水ポンプ２、曝気装置７、アンモニア除去装置６、凝集剤添加装置１２、酸化剤添加装置１３、除鉄除マンガン装置４、塩素センサ１４が、この順に設置される。
【００１９】
原水ポンプ２は、原水供給源（図示せず）に接続され、下流側に配置された曝気装置７に第１給水ライン２１を介して原水を供給する。原水は、井水、河川水、工業用水などである。
【００２０】
曝気装置７は、原水ポンプ２の下流側であって酸化剤添加装置１３の上流側に配置され、第１給水ライン２１上を供給される原水を曝気する。本実施形態においては、曝気装置７における原水の曝気処理は、原水に含まれる鉄分を酸化させて不溶性の鉄化合物（酸化水酸化鉄（III）など）に変化させる処理であり、曝気装置７の下流側において後述する除鉄除マンガン装置４により鉄分を除去する処理の前処理である。曝気装置７は、原水に酸素を供給することで、原水に含まれる鉄分を不溶性の鉄化合物に酸化させる。詳細には、例えば、曝気装置７は、原水を貯留する曝気槽（図示せず）を備え、曝気槽に貯留された原水に、酸素を含む空気を吹き込むことで、鉄分を酸化させて、不溶性の鉄化合物を生成する。その際、曝気装置７の曝気によって、コロイド状のシリカ鉄（シリカ鉄コロイド）も生成され得る。曝気装置７は、曝気制御装置７１により制御される。
【００２１】
曝気制御装置７１は、塩素センサ１４の出力値（残留塩素の濃度）に基づいて、曝気装置７の曝気量を増減させるように、フィードバック制御を実行する。塩素センサ１４は、後述する除鉄除マンガン装置４の下流側の第４給水ライン２４に配置され、除鉄除マンガン装置４から第４給水ライン２４に排出される処理水に含まれる残留塩素の濃度を検出する。
【００２２】
具体的には、曝気制御装置７１は、塩素センサ１４の出力値（残留塩素の濃度）に基づいて、塩素センサ１４の出力値（残留塩素の濃度）が小さい場合には、消費されている塩素の量が多いため鉄分濃度が高い（鉄分の量が多い）と看做して、曝気装置７における曝気量を増加させるように、曝気装置７における空気の供給量を増加させる。また、曝気制御装置７１は、塩素センサ１４の出力値（残留塩素の濃度）に基づいて、塩素センサ１４の出力値（残留塩素の濃度）が大きい場合には、消費されている塩素の量が少ないため鉄分濃度が低い（鉄分の量が少ない）と看做して、曝気装置７における曝気量を減少させるように、曝気装置７における空気の供給量を減少させる。
【００２３】
アンモニア除去装置６は、曝気装置７の下流側であって酸化剤添加装置１３の上流側に配置される。アンモニア除去装置６は、原水の性状に応じて、生物処理、陽イオン交換、ゼオライト等の吸着処理その他の手法により、第２給水ライン２２上を供給される原水に含まれるアンモニア性窒素を除去する。これにより、アンモニア除去装置６の下流側に供給される原水には、アンモニア性窒素が除去された状態となる。アンモニア除去装置６の下流側においては、アンモニア性窒素が低減されているため、酸化剤添加装置１３により添加される次亜塩素酸ナトリウムの塩素の添加量を低減できる。また、後述する酸化剤添加装置１３により添加される次亜塩素酸ナトリウムの塩素とアンモニア性窒素と有機物とが反応して生成される副生成物としてのシアン化合物の生成量を低減できる。
【００２４】
また、アンモニア除去装置６は、アンモニア性窒素を除去するのと同時に、鉄分及びマンガン分も除去することができる。そのため、アンモニア除去装置６の下流側に配置される除鉄除マンガン装置４で除去する鉄分及びマンガン分の除去量を低減できるため、除鉄除マンガン装置４の負担を軽減することができる。なお、アンモニア除去装置６は、鉄分及びマンガン分も除去できるため、除鉄除マンガン装置４における鉄分及びマンガン分の除去量が変動した場合や、除鉄除マンガン装置４が故障した場合などに、除鉄除マンガン装置４の動作をバックアップすることができる。
【００２５】
凝集剤添加装置１２は、アンモニア除去装置６の下流側であって酸化剤添加装置１３の上流側に配置される。凝集剤添加装置１２は、除鉄除マンガン装置４の上流側において、第３給水ライン２３上を供給される原水に凝集剤を添加することにより、曝気装置７の曝気によって生成したシリカ鉄コロイドを凝集させると共に、曝気装置７の曝気によって生成した不溶性の鉄化合物を凝集させる。このように、凝集剤添加装置１２は、除鉄除マンガン装置４の上流側において、シリカ鉄コロイドを凝集させる。シリカ鉄コロイドは、除鉄除マンガン装置４では除去し難いが、凝集剤で凝集させることで、除鉄除マンガン装置４で除去可能である。また、除鉄除マンガン装置４により鉄化合物を効率よく取り除くように、曝気装置７で生成した不溶性の鉄化合物を凝集してフロックを形成する。
【００２６】
除鉄除マンガン装置４は、曝気装置７の下流側に配置される。除鉄除マンガン装置４は、次亜塩素酸塩としての次亜塩素酸ナトリウムを添加する酸化剤添加装置１３の下流側において、第３給水ライン２３上を供給される原水に含まれる鉄分及びマンガン分を除去する。
【００２７】
本実施形態においては、除鉄除マンガン装置４は、原水に含まれる鉄分及びマンガン分を除去し、原水から処理水（鉄分及びマンガン分が除去された原水）を生成する。除鉄除マンガン装置４は、ろ材が充填されたろ過塔を備えている。ろ材には、通常、粒子状のマンガンシャモット、マンガンゼオライト、マンガン砂（二酸化マンガン担持の砂）等が使用される。
【００２８】
除鉄除マンガン装置４に供給される原水に含まれる鉄分は、次亜塩素酸ナトリウムの作用により酸化されて不溶性の鉄化合物（酸化水酸化鉄（III）など）へと変化し、上記ろ材によってろ過される。除鉄除マンガン装置４に供給される原水に含まれるマンガン分は、上記ろ材と接触したときに、次亜塩素酸ナトリウムの作用により酸化が進行し、ろ材によって吸着され、除去される。
【００２９】
除鉄除マンガン装置４の上流側には、原水に含まれる鉄分を不溶性の鉄化合物に変化させるために、除鉄除マンガン装置４に供給される原水に次亜塩素酸塩としての次亜塩素酸ナトリウムを添加する酸化剤添加装置１３が設けられている。
【００３０】
酸化剤添加装置１３は、曝気装置７の下流側であって除鉄除マンガン装置４の上流側の第３給水ライン２３に、酸化剤添加ライン１３ａを介して配置される。酸化剤添加装置１３は、第３給水ライン２３上を供給される原水に次亜塩素酸塩としての次亜塩素酸ナトリウムを添加する。酸化剤添加装置１３は、酸化剤添加制御装置１３１により制御される。酸化剤添加制御装置１３１は、塩素センサ１４の出力値（残留塩素の濃度）に基づいて、酸化剤添加装置１３における次亜塩素酸ナトリウムの添加量を増減させる。
【００３１】
酸化剤添加制御装置１３１は、塩素センサ１４の出力値（残留塩素の濃度）に基づいて、次亜塩素酸ナトリウムの添加量を増減するように、フィードバック制御する。
具体的には、酸化剤添加制御装置１３１は、塩素センサ１４の出力値（残留塩素の濃度）に基づいて、塩素センサ１４の出力値（残留塩素の濃度）が小さい場合には、塩素が不足しているとして、酸化剤添加装置１３における次亜塩素酸ナトリウムの添加量を増加させる。また、酸化剤添加制御装置１３１は、塩素センサ１４の出力値（残留塩素の濃度）に基づいて、塩素センサ１４の出力値（残留塩素の濃度）が大きい場合には、塩素が過剰であるとして、酸化剤添加装置１３における次亜塩素酸ナトリウムの添加量を減少させる。
【００３２】
次に、本実施形態の水処理システム１の動作について説明する。この水処理システム１において、井水などの原水から処理水を生成する際には、原水ポンプ２を駆動する。
原水ポンプ２を駆動することにより、原水供給源から供給される原水は、第１給水ライン２１を通って、曝気装置７に供給される。曝気装置７は、原水を曝気する。曝気装置７における原水の曝気処理は、原水に含まれる鉄分を酸化させて不溶性の鉄化合物に変化させる処理であり、曝気装置７の下流側において後述する除鉄除マンガン装置４により鉄分を除去する処理の前処理である。これにより、原水の鉄分を鉄化合物に酸化させた分だけ、除鉄除マンガン装置４の上流側において酸化剤添加装置１３から添加される次亜塩素酸ナトリウムの添加量を低減することができる。その際、曝気装置７の曝気によって、コロイド状のシリカ鉄（シリカ鉄コロイド）も生成され得る。
【００３３】
曝気装置７は、曝気制御装置７１に制御されることにより、塩素センサ１４の出力値（残留塩素の濃度）に基づいて、塩素センサ１４の出力値（残留塩素の濃度）が小さい場合には、消費されている塩素の量が多いため鉄分濃度が高い（鉄分の量が多い）と看做して、曝気装置７における曝気量を増加させるように、曝気装置７における空気の供給量を増加させる。また、曝気制御装置７１は、塩素センサ１４の出力値（残留塩素の濃度）に基づいて、塩素センサ１４の出力値（残留塩素の濃度）が大きい場合には、消費されている塩素の量が少ないため鉄分濃度が低い（鉄分の量が少ない）と看做して、曝気装置７における曝気量を減少させるように、曝気装置７における空気の供給量を減少させる。
【００３４】
曝気装置７により曝気された原水は、第２給水ライン２２を通って、アンモニア除去装置６に供給される。そして、アンモニア除去装置６において、この原水に含まれるアンモニア性窒素が除去される。
【００３５】
次に、アンモニア除去装置６から排出された原水は、第３給水ライン２３を通って、除鉄除マンガン装置４に供給される。第３給水ライン２３の途中で、凝集剤添加装置１２により凝集剤が添加された後、酸化剤添加装置１３により次亜塩素酸ナトリウムが添加される。凝集剤添加装置１２により凝集剤を添加することで、曝気装置７の曝気によって生成したシリカ鉄コロイドが凝集すると共に、曝気装置７で生成した不溶性の鉄化合物が凝集してフロックを形成する。酸化剤添加装置１３により次亜塩素酸ナトリウムを添加することで、原水に含まれる鉄分が酸化されて不溶性の鉄化合物となる。
【００３６】
ここで、アンモニア除去装置６により原水からアンモニア性窒素が除去されているため、酸化剤添加装置１３により添加される次亜塩素酸ナトリウムの塩素の添加量を低減できる。また、酸化剤添加装置１３により次亜塩素酸ナトリウムが添加されても、副生成物（シアン化合物）の生成量を低減することができる。
【００３７】
また、曝気装置７により原水の鉄分を鉄化合物に酸化させた分だけ、除鉄除マンガン装置４の上流側において酸化剤添加装置１３から添加される次亜塩素酸ナトリウムの添加量を低減することができる。これにより、次亜塩素酸ナトリウムのコストを低減できると共に、次亜塩素酸ナトリウムから生成される塩素酸の生成量を低減することができ、かつ、塩素に由来する副生成物の生成量を低減できる。
【００３８】
次に、除鉄除マンガン装置４において、アンモニア除去装置６から排出された原水に含まれる鉄分及びマンガン分が除去され、原水から処理水が生成される。このとき、曝気装置７で生成したシリカ鉄コロイドが凝集するため、除鉄除マンガン装置４のろ材で除去することができる。また、曝気装置７で生成した不溶性の鉄化合物及び酸化剤添加装置１３により次亜塩素酸ナトリウムの添加によって生成した不溶性の鉄化合物が凝集してフロックを形成しているため、除鉄除マンガン装置４のろ材で効率よく除去することができる。除鉄除マンガン装置４で処理された処理水は、第４給水ライン２４を通って処理水タンク（図示せず）に供給され、その処理水タンクに貯留される。
【００３９】
このようにして、処理水が第４給水ライン２４上を供給されるとき、この処理水に含まれる残留塩素の濃度を塩素センサ１４が検出し、その出力値（残留塩素の濃度）に基づいて、曝気制御装置７１は、曝気量を増減させるように、曝気装置７を制御する。鉄センサより安価な塩素センサ１４を用いてフィードバック制御することにより、曝気制御を簡易に実行することができる。
【００４０】
また、塩素センサ１４の出力値（残留塩素の濃度）に基づいて、酸化剤添加制御装置１３１が酸化剤添加装置１３の次亜塩素酸ナトリウムの添加量を増減させる。このように、次亜塩素酸ナトリウムの添加量をフィードバック制御することにより、原水に含まれる有機物が多い場合又は少ない場合にかかわらず、塩素の過不足を回避することができる。
【００４１】
すなわち、次亜塩素酸ナトリウムの添加量をフィードバック制御しない場合には、有機物の含有量の見込み違いにより、塩素の過不足が生じてしまう恐れがある。これに対して、次亜塩素酸ナトリウムの添加量のフィードバック制御を行うことで、水処理の現場の状況を問わず、塩素の過不足を回避することが可能となる。しかも、こうしたフィードバック制御により、塩素酸の原料物質である次亜塩素酸ナトリウムの添加量を低減することで、塩素酸の生成量を低減でき、塩素酸の水道水基準（例えば、０．６ｐｐｍ以下）を満たすことが可能となる。
【００４２】
上述した本実施形態に係る水処理システム１によれば、例えば、以下のような効果が奏される。
【００４３】
本実施形態に係る水処理システム１は、原水を供給する給水ライン２１〜２４と、給水ライン２１〜２４上に設置され、給水ライン２１〜２４上を供給される原水に次亜塩素酸ナトリウムを添加する酸化剤添加装置１３と、酸化剤添加装置１３の下流側において給水ライン２１〜２４上に設置され、給水ライン２１〜２４上を供給される原水に含まれる鉄分を除去する除鉄除マンガン装置４と、を備え、酸化剤添加装置１３の上流側に、給水ライン２１〜２４上を供給される原水を曝気する曝気装置７をさらに備える。そのため、原水に含まれる鉄分を除鉄除マンガン装置４において除鉄する前に、曝気装置７により原水を曝気することで、曝気装置７により原水の鉄分を酸化させた分だけ、次亜塩素酸ナトリウムの添加量を低減することができる。これにより、次亜塩素酸塩の添加量を低減することで、次亜塩素酸塩から生成される塩素酸の生成量を低減でき、かつ、塩素に由来する副生成物の生成量を低減できる。
【００４４】
また、本実施形態に係る水処理システム１は、除鉄除マンガン装置４から下流側の給水ライン２４に排出される処理水に含まれる残留塩素の濃度に基づいて、酸化剤添加装置１３の次亜塩素酸ナトリウムの添加量を増減させる酸化剤添加制御装置１３１をさらに備える。これにより、次亜塩素酸ナトリウムの添加量をフィードバック制御することにより、原水に含まれる有機物が多い場合又は少ない場合にかかわらず、塩素の過不足を回避することができる。
【００４５】
また、本実施形態に係る水処理システム１は、曝気装置７の下流側であって除鉄除マンガン装置４の上流側に、凝集剤を添加する凝集剤添加装置１２をさらに備える。そのため、シリカ鉄コロイドを凝集させることで、除鉄除マンガン装置４では除去し難いシリカ鉄コロイドを、除鉄除マンガン装置４で除去することができる。また、除鉄除マンガン装置４で鉄分を取り除く前に、曝気装置７で生成した不溶性の鉄化合物をフロック化することにより、除鉄除マンガン装置４で鉄分を取り除きやすくなる。
【００４６】
また、本実施形態に係る水処理システム１は、除鉄除マンガン装置４から下流側の給水ライン２４に排出される処理水に含まれる残留塩素の濃度に基づいて、曝気装置７の曝気量を増減させる曝気制御装置７１をさらに備える。これにより、安価な残留塩素センサを用いてフィードバック制御することにより、原水を曝気する制御を簡易に実行することができる。
【００４７】
また、本実施形態に係る水処理システム１は、酸化剤添加装置１３の上流側に、給水ライン上を供給される原水に含まれるアンモニア性窒素を除去するアンモニア除去装置６をさらに備える。そのため、原水を除鉄除マンガン処理する前に、原水からアンモニア性窒素を除去することにより、アンモニア性窒素由来の副生成物（シアン化合物など）の生成量を低減することができる。
【００４８】
［第２実施形態］
次に、本発明の第２実施形態を図面に基づいて説明する。図２は、本発明の第２実施形態に係る水処理システム１Ａの模式図である。なお、第２実施形態では、主に第１実施形態との相違点について説明する。このため、第１実施形態と同一（又は同等）の構成については同じ符号を付し、詳細な説明を省略する。また、第２実施形態において特に説明しない点については、第１実施形態の説明が適宜に適用される。
【００４９】
第２実施形態に係る水処理システム１Ａにおいては、第１実施形態の水処理システム１におけるアンモニア除去装置６を備えずに、原水ポンプ２と曝気装置７との間の第１給水ライン２１において、アルカリ性薬剤添加ライン１５ａを介して、アルカリ性薬剤を添加するアンモニア除去手段としてのアルカリ性薬剤添加装置１５が接続されている。アルカリ性薬剤は、原水のｐＨ値を８以上に調整するものである。アルカリ性薬剤としては、主成分としてアルカリ金属の水酸化物（例えば、水酸化ナトリウムや水酸化カリウム等）を含むものが挙げられる。
【００５０】
アルカリ性薬剤添加装置１５によりアルカリ性薬剤が添加されることで、アルカリ性薬剤が原水に含まれるアンモニア性窒素と反応してアンモニアとして大気に放出され、原水に含まれるアンモニア性窒素を除去する。これにより、原水を除鉄除マンガン処理する前に、原水からアンモニア性窒素を除去することにより、アンモニア性窒素由来の副生成物（シアン化合物など）の生成量を低減することができる。
【００５１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００５２】
例えば、上述した実施形態では、曝気装置７で生成したシリカ鉄コロイドを凝集剤添加装置１２により凝集して除鉄除マンガン装置４で除去するように構成したが、これに限定されない。曝気装置７で生成したシリカ鉄コロイドを、精密ろ過膜（ＭＦ膜）や限外ろ過膜（ＵＦ膜）を備えた膜ろ過装置により除去するように構成してもよい。ここで、例えば、アンモニア除去装置６として生物処理法によりアンモニアを除去するアンモニア除去装置を用いた場合には、アンモニア除去装置６の下流側に、膜ろ過装置を設けることが好ましい。これにより、アンモニア性窒素の除去後に排出される濁質や微生物の流出を膜ろ過装置により抑制できるため、アンモニア性窒素の除去後の後処理のフィルタとして膜ろ過装置を用いることができる。
【００５３】
また、上述した実施形態では、塩素センサにより検出された塩素濃度に基づいて、フィードバック制御を実行するように制御したが、これに限定されない。原水の鉄濃度を検出して、原水の鉄濃度に基づいて、曝気装置７を制御するように構成してもよい。この場合に、例えば、曝気制御装置７１は、原水における鉄濃度が所定値以上（例えば、原水鉄濃度１０ｍｇ／Ｌ以上）の場合に、原水を曝気する動作を実行するように、曝気装置７を制御するように構成してもよい。
【００５４】
例えば、原水の溶存酸素濃度を検出して、原水の溶存酸素濃度に基づいて、曝気装置７を制御するように構成してもよい。この場合には、曝気制御装置７１は、溶存酸素センサ（図示せず）の出力値（溶存酸素濃度）に基づいて、溶存酸素センサの出力値（溶存酸素濃度）が大きい場合には、曝気装置７における曝気のために必要な量の酸素を含む空気が供給されているため、曝気装置７における空気の供給量を減少させる。また、曝気制御装置７１は、溶存酸素センサ（図示せず）の出力値（溶存酸素濃度）に基づいて、溶存酸素センサの出力値（溶存酸素濃度）が小さい場合には、曝気装置７における曝気のために必要な酸素が不足しているため、曝気装置７における空気の供給量を増加させる。
【００５５】
また、上述した第１実施形態及び第２実施形態において、凝集剤添加装置１２を設けなくてもよい。
【００５６】
また、上述した実施形態の構成の水処理システム１の構成に限定されず、水処理システム１の目的に応じて、上述した水処理システム１を構成する装置以外の装置（例えば、活性炭ろ過装置、軟水器、ＲＯ装置（逆浸透膜ろ過装置）など）を付加しても構わない。
【符号の説明】
【００５７】
１  水処理システム
４  除鉄除マンガン装置（除鉄装置）
６  アンモニア除去装置（アンモニア除去手段）
７  曝気装置
１２  凝集剤添加装置
１３  酸化剤添加装置（薬注装置）
１５  アルカリ性薬剤添加装置（アンモニア除去手段）
２１  第１給水ライン（給水ライン）
２２  第２給水ライン（給水ライン）
２３  第３給水ライン（給水ライン）
２４  第４給水ライン（給水ライン）
７１  曝気制御装置
１３１  酸化剤添加制御装置（薬注制御装置）
【図１】
2019103956.tif 000003
【図２】
2019103956.tif 000004